(57)【要約】【課題】  スカートケーブルの接続状態に応じてＲＧＢ信号とＹＵＶ（ＹＣｂＣｒ）信号とを自動で切り換えることが可能な映像信号切換装置およびそれを含む再生装置を提供する。【解決手段】  スカートケーブルが再生装置と表示装置との間に接続されているとき、スカートジャック１１の１６番ピンが７５Ωで終端されるため、バイポーラトランジスタ４１がオンとなる。その結果、切換検知信号ＤＴは１．４Ｖとなる。一方、スカートケーブルが再生装置と表示装置との間に接続されていないとき、スカートジャック１１の１６番ピンは終端されないため、バイポーラトランジスタ４１はオフとなる。その結果、切換検知信号ＤＴは２．８Ｖとなる。【選択図】        図３
2006203335.tif 000002
【特許請求の範囲】
【請求項１】
スカートケーブルに出力されるＲＧＢ信号とＹＵＶケーブルに出力されるＹＵＶ信号とを切り換える映像信号切換装置であって、
前記スカートケーブルに対応するスカートジャックの所定ピンが終端されているかどうかに応じて切換検知信号を出力する切換回路と、
前記切換検知信号を受けて、前記ＲＧＢ信号と前記ＹＵＶ信号との切換を指定する出力切換信号を前記切換回路に出力する制御回路とを備え、
前記切換回路は、前記出力切換信号に応じて前記ＲＧＢ信号と前記ＹＵＶ信号とを切り換えるスイッチング部と、
前記スカートジャックの前記所定ピンが終端されているかどうかに応じて前記切換検知信号を出力する切換検知部とを含み、
前記切換検知部は、トランジスタと、第１から第４の抵抗とを含み、
前記トランジスタは、前記スカートケーブルを介して、エミッタが前記スカートジャックの前記所定ピンに接続され、
前記第１の抵抗は、電源ノードと前記トランジスタのコレクタとの間に接続され、
前記第２の抵抗は、第１のノードと前記トランジスタのベースとの間に接続され、
前記第３の抵抗は、前記電源ノードと第２のノードとの間に接続され、
前記第４の抵抗は、前記第２のノードと接地ノードとの間に接続され、
前記制御回路から前記第１のノードを介して前記出力切換信号が出力され、
前記第２のノードから前記制御回路に前記切換検知信号が出力され、
前記切換検知信号の変化を受けて、前記ＲＧＢ信号と前記ＹＵＶ信号とを切り換えるかどうかの確認メッセージを表示する表示装置をさらに備え、
前記制御回路は、前記ＲＧＢ信号と前記ＹＵＶ信号とをマニュアルで切り換えるモードを有する、映像信号切換装置。
【請求項２】
スカートケーブルに出力されるＲＧＢ信号とＹＵＶケーブルに出力されるＹＵＶ信号とを切り換える映像信号切換装置であって、
前記スカートケーブルに対応するスカートジャックの所定ピンが終端されているかどうかに応じて切換検知信号を出力する切換回路と、
前記切換検知信号を受けて、前記ＲＧＢ信号と前記ＹＵＶ信号との切換を指定する出力切換信号を前記切換回路に出力する制御回路とを備える、映像信号切換装置。
【請求項３】
前記切換回路は、
前記出力切換信号に応じて前記ＲＧＢ信号と前記ＹＵＶ信号とを切り換えるスイッチング部と、
前記スカートジャックの前記所定ピンが終端されているかどうかに応じて前記切換検知信号を出力する切換検知部とを含む、請求項２に記載の映像信号切換装置。
【請求項４】
前記切換検知部は、
トランジスタと、第１から第４の抵抗とを含み、
前記トランジスタは、前記スカートケーブルを介して、エミッタが前記スカートジャックの前記所定ピンに接続され、
前記第１の抵抗は、電源ノードと前記トランジスタのコレクタとの間に接続され、
前記第２の抵抗は、第１のノードと前記トランジスタのベースとの間に接続され、
前記第３の抵抗は、前記電源ノードと第２のノードとの間に接続され、
前記第４の抵抗は、前記第２のノードと接地ノードとの間に接続され、
前記制御回路から前記第１のノードを介して前記出力切換信号が出力され、
前記第２のノードから前記制御回路に前記切換検知信号が出力される、請求項３に記載の映像信号切換装置。
【請求項５】
前記切換検知信号の変化を受けて、前記ＲＧＢ信号と前記ＹＵＶ信号とを切り換えるかどうかの確認メッセージを表示する表示装置をさらに備える、請求項２から４のいずれかに記載の映像信号切換装置。
【請求項６】
前記制御回路は、前記ＲＧＢ信号と前記ＹＵＶ信号とをマニュアルで切り換えるモードを有する、請求項２から４のいずれかに記載の映像信号切換装置。
【請求項７】
請求項２から６のいずれかに記載の前記映像信号切換装置を含む再生装置。
【発明の詳細な説明】
【技術分野】
【０００１】
この発明は、映像信号切換装置およびそれを含む再生装置に関し、より特定的には、ＲＧＢ信号とＹＵＶ（ＹＣｂＣｒ）信号とを切り換える映像信号切換装置およびそれを含む再生装置に関する。
【背景技術】
【０００２】
テレビ放送の方式には、日本や米国等で用いられているＮＴＳＣ（National Television System Committee）方式、およびドイツやイギリス等で用いられているＰＡＬ（Phase Alternation by Line）方式などがある。ＮＴＳＣ方式のテレビでは、映像信号としてＹＩＱ信号が用いられる。ＰＡＬ方式のテレビでは、映像信号としてＹＵＶ（ＹＣｂＣｒ）信号が用いられる。
【０００３】
従来の映像信号変換装置は、ＮＴＳＣ信号およびＲＧＢ信号の各々を方式変換して映像信号用表示器に表示することにより、仕様が異なる複数種類の映像信号を目視可能かつ容易に表示することができる（たとえば、特許文献１参照）。
【０００４】
従来のテレビジョン信号受信機は、スカート結線を介して入力コネクタピンのＣＶＢＳ、Ｙ／ＣおよびＲＧＢ信号を選択的に受信することにより、入力端子における入力信号のタイプを確実に検出することができる（たとえば、特許文献２参照）。
【０００５】
従来のテレビ間接続配列は、複数のフォーマット画像信号をスカートコネクタに接続された電子スイッチを用いて選択することにより、画像形式情報を容易に区別することができる（たとえば、特許文献３参照）。
【０００６】
従来の信号変換回路は、ＹＵＶ信号をデジタルおよびアナログのＲＧＢ信号に変換し、それぞれ別個の表示装置で表示することにより、信号形式の異なる２つの表示信号の出力を可能としつつ、メイン回路が設けられるチップの小型化およびピン数の削減が図れる（たとえば、特許文献４参照）。
【０００７】
従来の動作モード設定装置は、ＡＶ入力端子の有るモデルとないモデルとに応じてマイクロコンピュータの動作モードを設定することにより、マイクロコンピュータの各種操作指令などを入出力するための入出力ポートのキーマトリクスにモード設定用のダイオードを接続する必要がなくなる（たとえば、特許文献５参照）。
【特許文献１】特開平１０−１８７１１１号公報
【特許文献２】特開平６−１８９３１０号公報
【特許文献３】特開平６−２３７４００号公報
【特許文献４】特開２００３−２４１７２５号公報
【特許文献５】登録実用新案第３０１９０３１号公報
【発明の開示】
【発明が解決しようとする課題】
【０００８】
従来の再生装置（ビデオ等）は、ＰＡＬ方式の表示装置（テレビ等）への接続の際、スカートケーブルを介したＲＧＢ出力をデフォルトとしており、ＹＵＶ信号はデフォルトでは出力していなかった。
【０００９】
そのため、再生装置から表示装置への出力をＹＵＶ信号とする場合、ユーザは、まずＣＶＢＳ（コンポジットビデオ）端子またはＳ（セパレート）端子を介して再生装置を表示装置にいったん接続し、セットアップ画面よりＹ／Ｃｂ／Ｃｒを選択する必要があった。このように、再生装置から表示装置への出力をＹＵＶ信号とするためには、従来マニュアルでの切り換えが必要であった。
【００１０】
この発明は、上記の課題に鑑みてなされたものであって、その目的は、スカートケーブルの接続状態に応じてＲＧＢ信号とＹＵＶ（ＹＣｂＣｒ）信号とを自動で切り換えることが可能な映像信号切換装置およびそれを含む再生装置を提供することである。
【課題を解決するための手段】
【００１１】
この発明は、スカートケーブルに出力されるＲＧＢ信号とＹＵＶケーブルに出力されるＹＵＶ信号とを切り換える映像信号切換装置であって、スカートケーブルに対応するスカートジャックの所定ピンが終端されているかどうかに応じて切換検知信号を出力する切換回路と、切換検知信号を受けて、ＲＧＢ信号とＹＵＶ信号との切換を指定する出力切換信号を切換回路に出力する制御回路とを備える。切換回路は、出力切換信号に応じてＲＧＢ信号とＹＵＶ信号とを切り換えるスイッチング部と、スカートジャックの所定ピンが終端されているかどうかに応じて切換検知信号を出力する切換検知部とを含む。切換検知部は、トランジスタと、第１から第４の抵抗とを含む。トランジスタは、スカートケーブルを介して、エミッタがスカートジャックの所定ピンに接続される。第１の抵抗は、電源ノードとトランジスタのコレクタとの間に接続される。第２の抵抗は、第１のノードとトランジスタのベースとの間に接続される。第３の抵抗は、電源ノードと第２のノードとの間に接続される。第４の抵抗は、第２のノードと接地ノードとの間に接続される。制御回路から第１のノードを介して出力切換信号が出力され、第２のノードから制御回路に切換検知信号が出力される。切換検知信号の変化を受けて、ＲＧＢ信号とＹＵＶ信号とを切り換えるかどうかの確認メッセージを表示する表示装置をさらに備える。制御回路は、ＲＧＢ信号とＹＵＶ信号とをマニュアルで切り換えるモードを有する。
【００１２】
この発明の他の局面によれば、スカートケーブルに出力されるＲＧＢ信号とＹＵＶケーブルに出力されるＹＵＶ信号とを切り換える映像信号切換装置であって、スカートケーブルに対応するスカートジャックの所定ピンが終端されているかどうかに応じて切換検知信号を出力する切換回路と、切換検知信号を受けて、ＲＧＢ信号とＹＵＶ信号との切換を指定する出力切換信号を切換回路に出力する制御回路とを備える。
【００１３】
好ましくは、切換回路は、出力切換信号に応じてＲＧＢ信号とＹＵＶ信号とを切り換えるスイッチング部と、スカートジャックの所定ピンが終端されているかどうかに応じて切換検知信号を出力する切換検知部とを含む。
【００１４】
好ましくは、切換検知部は、トランジスタと、第１から第４の抵抗とを含む。トランジスタは、スカートケーブルを介して、エミッタがスカートジャックの所定ピンに接続される。第１の抵抗は、電源ノードとトランジスタのコレクタとの間に接続される。第２の抵抗は、第１のノードとトランジスタのベースとの間に接続される。第３の抵抗は、電源ノードと第２のノードとの間に接続され、第４の抵抗は、第２のノードと接地ノードとの間に接続される。制御回路から第１のノードを介して出力切換信号が出力され、第２のノードから制御回路に切換検知信号が出力される。
【００１５】
好ましくは、切換検知信号の変化を受けて、ＲＧＢ信号とＹＵＶ信号とを切り換えるかどうかの確認メッセージを表示する表示装置をさらに備える。
【００１６】
好ましくは、制御回路は、ＲＧＢ信号とＹＵＶ信号とをマニュアルで切り換えるモードを有する。
【００１７】
この発明の他の局面によれば、スカートケーブルに出力されるＲＧＢ信号とＹＵＶケーブルに出力されるＹＵＶ信号とを切り換える映像信号切換装置を含む再生装置であって、スカートケーブルに対応するスカートジャックの所定ピンが終端されているかどうかに応じて切換検知信号を出力する切換回路と、切換検知信号を受けて、ＲＧＢ信号とＹＵＶ信号との切換を指定する出力切換信号を切換回路に出力する制御回路とを備える。切換回路は、出力切換信号に応じてＲＧＢ信号とＹＵＶ信号とを切り換えるスイッチング部と、スカートジャックの所定ピンが終端されているかどうかに応じて切換検知信号を出力する切換検知部とを含む。切換検知部は、トランジスタと、第１から第４の抵抗とを含む。トランジスタは、スカートケーブルを介して、エミッタがスカートジャックの所定ピンに接続される。第１の抵抗は、電源ノードとトランジスタのコレクタとの間に接続される。第２の抵抗は、第１のノードとトランジスタのベースとの間に接続される。第３の抵抗は、電源ノードと第２のノードとの間に接続される。第４の抵抗は、第２のノードと接地ノードとの間に接続される。制御回路から第１のノードを介して出力切換信号が出力され、第２のノードから制御回路に切換検知信号が出力される。切換検知信号の変化を受けて、ＲＧＢ信号とＹＵＶ信号とを切り換えるかどうかの確認メッセージを表示する表示装置をさらに備える。制御回路は、ＲＧＢ信号とＹＵＶ信号とをマニュアルで切り換えるモードを有する。
【発明の効果】
【００１８】
この発明によれば、スカートケーブルの接続状態に応じてＲＧＢ信号とＹＵＶ（ＹＣｂＣｒ）信号とを自動で切り換えることが可能となる。
【発明を実施するための最良の形態】
【００１９】
以下、この発明の実施の形態について図面を参照して詳しく説明する。なお、図中同一または相当部分には同一符号を付してその説明は繰り返さない。
【００２０】
図１は、この発明の実施の形態による再生装置２０の概略的な構成を示したブロック図である。
【００２１】
図１を参照して、この発明の実施の形態による再生装置２０は、スカートケーブル（ＲＧＢケーブル）１３およびＹＵＶ（ＹＣｂＣｒ）ケーブル１４を介して、ＰＡＬ方式の表示装置１０に接続されている。テレビ１０は、スカートケーブル１３対応のスカートジャック１１、およびＹＵＶケーブル１４対応のＹＵＶジャック１２を有している。
【００２２】
再生装置２０は、スカートケーブル１３に対する入力部２１と、ＹＵＶケーブル１４に対する入力部２２と、ＲＧＢ出力とＹＵＶ出力とを切り換える切換回路３０と、切換回路３０を制御するバックエンドＣＰＵ（Central Processing Unit；制御回路）５０とを備える。次に、再生装置２０の具体的な回路構成について、背景技術との比較により説明する。
【００２３】
図２は、この発明の実施の形態を説明する背景としての再生装置２０Ｐの具体的な構成を示した回路図である。
【００２４】
図２を参照して、再生装置２０Ｐは、スカートケーブル対応のスカートジャック１１、およびＹＵＶケーブル対応のＹＵＶジャック１２に接続されている。再生装置２０Ｐは、図１でも説明したように、入力部２１，２２と、切換回路３０Ｐと、バックエンドＣＰＵ５０とを備える。
【００２５】
入力部２１は、スカートケーブルに対応しており、６ｄＢアンプ２１１，２１２，２１３，…を含む。入力部２２は、ＹＵＶケーブルに対応しており、６ｄＢアンプ２２１，２２２，２２３，…を含む。切換回路３０Ｐは、ＲＧＢ出力とＹＵＶ（ＹＣｂＣｒ）出力とを切り換えるスイッチング部３１と、スカートジャック１１の１６番ピンが終端されているかどうかに応じて出力切換信号ＣＬを出力する切換検知部４０Ｐとを含む。
【００２６】
スイッチング部３１は、Ｒ信号とＣｒ信号とを切り換えるスイッチ素子３１１と、Ｇ信号とＹ信号とを切り換えるスイッチ素子３１２と、Ｂ信号とＣｂ信号とを切り換えるスイッチ素子３１３とを含む。切換検知部４０Ｐは、バイポーラトランジスタ４１と、抵抗４２，４３とを含む。抵抗４２は、電源ノードＶＣＣとバイポーラトランジスタ４１のコレクタとの間に接続されている。抵抗４２は、７５Ωであるとする。抵抗４３は、ノードＮ１とバイポーラトランジスタ４１のベースとの間に接続されている。
【００２７】
バイポーラトランジスタ４１は、スカートケーブルを介して、エミッタがスカートジャック１１の１６番ピンに接続されている。スカートジャック１１の１６番ピンは、テレビ等の表示装置に接続されると、図２の抵抗Ｒ１６で示すように、７５Ωで終端される。バックエンドＣＰＵ５０は、ノードＮ１を介して抵抗４３に接続され、出力切換信号ＣＬを出力する。出力切換信号ＣＬは、ＲＧＢ出力のとき３．３Ｖ、ＹＵＶ出力（その他出力を含む）のとき０Ｖとなる。
【００２８】
スイッチング部３１は、出力切換信号ＣＬに応じて、スカートジャック１１へのＲＧＢ出力かＹＵＶジャック１２へのＹＵＶ出力かを切り換える。当該切換は、スイッチ素子３１１，３１２，３１３，…を連動させて行なわれる。
【００２９】
このように、従来の切換回路３０Ｐは、バックエンドＣＰＵ５０からの出力切換信号ＣＬに基づいてＲＧＢ出力とＹＵＶ出力とを切り換える。ここで、出力切換信号ＣＬのデフォルト値は３．３Ｖ（ＲＧＢ出力）であるため、スカートケーブルが再生装置と表示装置との間に接続されておらず、ＹＵＶ出力で表示装置に接続する場合にも、従来はマニュアルによってＲＧＢ出力からＹＵＶ出力に切り換える必要があった。このような課題を解決した、この発明の実施の形態による再生装置２０について次に説明する。
【００３０】
図３は、この発明の実施の形態による再生装置２０の具体的な構成を示した回路図である。
【００３１】
図３を参照して、この発明の実施の形態による再生装置２０は、切換回路３０Ｐが切換回路３０に置き換えられた点において、図２の再生装置２０Ｐと異なる。切換回路３０は、切換検知部４０Ｐに抵抗４４，４５が付加されて切換検知部４０となった点において、図２の切換回路３０Ｐと異なる。したがって、図２と重複する部分の説明は、ここでは繰返さない。
【００３２】
切換検知部４０の抵抗４４は、電源ノードＶＣＣとノードＮ２との間に接続されている。切換検知部４０の抵抗４５は、ノードＮ２と接地ノードＧＮＤとの間に接続されている。ノードＮ２からバックエンドＣＰＵ５０には、切換検知信号ＤＴが出力される。抵抗４４，４５は、いずれも１２０ｋΩであるとする。
【００３３】
スカートケーブルが再生装置と表示装置との間に接続されているとき、スカートジャック１１の１６番ピンが７５Ωで終端されるため、バイポーラトランジスタ４１がオンとなる。その結果、切換検知信号ＤＴは１．４Ｖとなる。一方、スカートケーブルが再生装置と表示装置との間に接続されていないとき、スカートジャック１１の１６番ピンは終端されないため、バイポーラトランジスタ４１はオフとなる。その結果、切換検知信号ＤＴは２．８Ｖとなる。
【００３４】
図４は、出力切換信号ＣＬ、切換検知信号ＤＴ、およびスカート接続の有無を表にして示した図である。
【００３５】
図４に示すように、出力切換信号ＣＬが３．３Ｖ（デフォルト）のとき切換回路３０はＲＧＢ出力となり、出力切換信号ＣＬが０Ｖのとき切換回路３０はＹＵＶ（ＹＣｂＣｒ）出力となる。一方、切換検知信号ＤＴが１．４Ｖのときにはスカート接続があり、切換検知信号ＤＴが２．８Ｖのときにはスカート接続がないことが分かる。以下に、いくつかの例を挙げて説明する。
【００３６】
出力切換信号ＣＬが３．３Ｖ（デフォルト）のＲＧＢ出力で切換検知信号ＤＴが２．８Ｖのとき、スカートケーブルはスカートジャック１１に接続されていない。このため、バックエンドＣＰＵ５０は、出力切換信号ＣＬを３．３Ｖから０Ｖに変化させる。これにより、スイッチング部３１を介してＲＧＢ出力がＹＵＶ出力に自動的に切り替わる。
【００３７】
出力切換信号ＣＬが３．３Ｖ（デフォルト）のＲＧＢ出力で切換検知信号ＤＴが１．４Ｖのとき、スカートケーブルはスカートジャック１１に接続されている。このため、バックエンドＣＰＵ５０は、出力切換信号ＣＬを３．３Ｖのまま変化させず、切換回路３０の出力はＲＧＢ信号のままとなる。
【００３８】
図５は、出力切換信号ＣＬが０Ｖ（ＹＵＶ出力）の状態で切換検知信号ＤＴが２．８Ｖから１．４Ｖに変化した場合のタイミング図である。
【００３９】
図５に示すように、時刻ｔ１において、切換検知信号ＤＴが２．８Ｖから１．４Ｖに変化したとする。このとき、再生装置２０は、表示装置１０のＯＳＤ（On Screen Display）によって、ＹＵＶケーブルを介したＹＵＶ出力からスカートケーブルを介したＲＧＢ出力に切り換えるかどうかの確認メッセージを画面上に表示する。ここで、ユーザがＲＧＢ出力への切換を選択した場合、一定時間経過した時刻ｔ２において、出力切換信号ＣＬが０Ｖから３．３Ｖに変化する。
【００４０】
このように、この発明の実施の形態による再生装置２０は、スカート接続の有無を切換検知信号ＤＴから検知することによって、ＲＧＢ出力とＹＵＶ出力とを自動で切り換えることができる。なお、再生装置２０は、たとえばバックエンドＣＰＵ５０が切換検知信号ＤＴを受け付けないようにすることで、従来のようにマニュアルによってＲＧＢ出力とＹＵＶ出力とを切り換えることも可能である。
【００４１】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００４２】
【図１】この発明の実施の形態による再生装置２０の概略的な構成を示したブロック図である。
【図２】この発明の実施の形態を説明する背景としての再生装置２０Ｐの具体的な構成を示した回路図である。
【図３】この発明の実施の形態による再生装置２０の具体的な構成を示した回路図である。
【図４】出力切換信号ＣＬ、切換検知信号ＤＴ、およびスカート接続の有無を表にして示した図である。
【図５】出力切換信号ＣＬが０Ｖ（ＹＵＶ出力）の状態で切換検知信号ＤＴが２．８Ｖから１．４Ｖに変化した場合のタイミング図である。
【符号の説明】
【００４３】
１０  表示装置、１１  スカートジャック、１２  ＹＵＶジャック、１３  スカートケーブル、１４  ＹＵＶケーブル、２０，２０Ｐ  再生装置、２１，２２  入力部、３０，３０Ｐ  切換回路、３１  スイッチング部、４１  バイポーラトランジスタ、４２〜４５  抵抗、５０  バックエンドＣＰＵ、２１１〜２１３，２２１〜２２３  ６ｄＢアンプ、３１１〜３１３  スイッチ素子。
【図１】
2006203335.tif 000003
【図２】
2006203335.tif 000004
【図３】
2006203335.tif 000005
【図４】
2006203335.tif 000006
【図５】
2006203335.tif 000007